【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
生検システムを使用して患者から取り出された少なくとも１つの組織試料を追跡する方法であって、
（ａ）組織容器に、前記少なくとも１つの組織試料に関連する第１の追跡データを形成すること、
（ｂ）輸送容器に、前記少なくとも１つの組織試料に関連する第２の追跡データを形成すること、
（ｃ）前記少なくとも１つの組織試料を含む前記組織容器を前記輸送容器に入れること、及び
（ｄ）前記第１及び第２の追跡データが両方とも前記少なくとも１つの組織試料と関連付けられることを確認するように、電子走査システムにより前記組織容器及び前記輸送容器からの前記第１及び第２の追跡データを読み取ること
を含む、前記方法。
【請求項２】
前記第１及び第２の追跡データの走査は、生検が行われるのと同じ位置で行われる、請求項１に記載の方法。
【請求項３】
前記生検システムから前記少なくとも１つの組織試料を取り出すことをさらに含み、組織追跡システムの制御ユニットに取り出した時間を入力することをさらに含み、前記取り出した時間が、前記少なくとも１つの組織試料を前記組織容器に入れることに関連する、請求項１に記載の方法。
【請求項４】
前記生検システムが前記少なくとも１つの組織試料を有する取り外し可能な組織試料トレイを含み、前記生検システムから前記少なくとも１つの組織試料を取り出す行為が前記生検システムの生検装置から取り外し可能な前記組織試料トレイを取り出すことを含む、請求項３に記載の方法。
【請求項５】
前記少なくとも１つの組織試料を前記組織容器内に入れることは、前記組織試料トレイを前記少なくとも１つの組織試料と共に前記組織容器内に入れることを含み、前記組織試料トレイが可撓であり、それによって、前記組織試料トレイを前記組織容器に入れる行為は、前記組織試料トレイを前記組織容器内で少なくとも部分的に平らにすることを含む、請求項４に記載の方法。
【請求項６】
前記第１の追跡データを形成した後に前記組織容器を前記輸送容器に入れることをさらに含み、前記組織容器が前記輸送容器内に入れられた後に前記第２の追跡データを形成することをさらに含む、請求項１に記載の方法。
【請求項７】
前記組織容器を前記輸送容器に入れる行為は、第１の位置で行われ、前記第１の追跡データ及び前記第２の追跡データを形成した後に、前記組織容器を含む前記輸送容器を第２の位置に輸送することをさらに含む、請求項６に記載の方法。
【請求項８】
前記第２の位置に到着したときに前記第２の追跡データを走査することをさらに含み、前記組織容器を前記輸送容器から取り出し、前記組織容器を前記輸送容器から取り出した後に前記第１の追跡データ及び前記第２の追跡データの両方を走査して、前記第１の追跡データ及び前記第２の追跡データを前記少なくとも１つの組織試料と確実に関連付けることをさらに含む、請求項７に記載の方法。
【請求項９】
前記第１の位置が第１の組織追跡システムを有し、前記第２の位置が第２の組織追跡システムを有し、前記第１の組織追跡システムは第１のネットワークインターフェースを含み、前記第２の組織追跡システムは第２のネットワークインターフェースを含み、前記第１のネットワークインターフェースと前記第２のネットワークインターフェースが互いに情報を通信するように構成されている、請求項８に記載の方法。
【請求項１０】
送信されたデータが、実際の前記輸送容器及び前記組織容器から走査された前記第１及び第２の追跡データと確実に一致するようにするために、前記第１及び第２の追跡データを研究室作業員によるアクセスのために研究室情報システムに送信することをさらに含む、請求項１に記載の方法。
【請求項１１】
前記第１の追跡データ及び前記第２の追跡データを形成する前記ステップが、前記第１の追跡データ及び前記第２の追跡データを、それぞれ前記輸送容器及び前記組織容器内に配置されたＲＦＩＤチップにプログラミングすることを含む、請求項１に記載の方法。
【請求項１２】
前記第１の追跡データと前記第２の追跡データを形成する前記ステップが、第１のバーコードラベル及び第２のバーコードラベルを印刷することと、各バーコードラベルを前記組織容器及び前記輸送容器にそれぞれ貼ることとを含む、請求項１に記載の方法。
【請求項１３】
生検システムを利用して少なくとも１つの組織試料を取得及び分析する方法であって、
（ａ）第１の識別子を形成すること、
（ｂ）前記第１の識別子を組織容器と関連付けること、
（ｃ）前記少なくとも１つの組織試料を第１の位置において前記組織容器に入れること、
（ｄ）第１の組織追跡システムにより前記第１の識別子を走査すること、
（ｅ）前記組織容器を第２の位置に輸送することであって、第２の組織追跡システムが前記第２の位置に配置される、輸送すること、及び
（ｆ）前記第２の位置に配置された前記第２の組織追跡システムにより前記第１の識別子を走査すること
を含む、前記方法。
【請求項１４】
（ａ）輸送容器を第２の識別子と関連付けること、及び
（ｂ）前記組織容器を前記第２の位置に輸送する前に、前記組織容器を前記輸送容器に入れること
をさらに含む、請求項１３に記載の方法。
【請求項１５】
前記第２の識別子が、前記第１の識別子の前に前記第２の組織追跡システムによって走査される、請求項１４に記載の方法。
【請求項１６】
前記組織容器を閉じることをさらに含み、前記第２の識別子が前記組織容器を閉じた後に印刷される、請求項１５に記載の方法。
【請求項１７】
生検システムを利用して少なくとも１つの組織試料を取得及び分析する方法であって、
（ａ）組織容器に関連する第１のラベルを印刷すること、
（ｂ）前記第１のラベルを前記組織容器に取り付けること、
（ｃ）前記少なくとも１つの組織試料を前記組織容器に入れること、
（ｄ）輸送容器に関連する第２のラベルを印刷すること、
（ｅ）前記第２のラベルを前記輸送容器に取り付けること、
（ｆ）前記第１のラベル及び前記第２のラベルを走査して、前記第１のラベル及び前記第２のラベルが両方とも前記少なくとも１つの組織試料と確実に関連付けられるようにすること、
（ｇ）前記組織容器を前記輸送容器に入れること、
（ｈ）前記輸送容器を走査して、前記輸送容器を前記組織容器と関連付けること、
（ｉ）前記輸送容器内の前記組織容器を副次位置に受容すること、及び
（ｊ）前記副次位置に到達した後に前記輸送容器を走査すること
を含む、前記方法。
【請求項１８】
前記第１及び第２の追跡データは、前記少なくとも１つの組織試料を識別する同一の識別子を含み、
前記第１の追跡データを形成する前記ステップは、前記同一の識別子を有する第１のバーコードラベルを前記組織容器に貼り付けることを含み、
前記第２の追跡データを形成する前記ステップは、前記同一の識別子を有する第２のバーコードラベルを前記輸送容器に貼り付けることを含み、
読み取る前記ステップは、病理検査室において、前記第１及び第２のバーコードラベルを走査して、走査された前記バーコードラベルが同じ前記少なくとも１つの組織試料と関連付けられていることを確認することを含む、請求項１に記載の方法。
【請求項１９】
前記第１及び第２の追跡データは、前記少なくとも１つの組織試料を識別する同一の識別子を含み、
前記第１及び第２の追跡データを形成する前記ステップは、前記第１の追跡データ及び前記第２の追跡データを、それぞれ前記輸送容器及び前記組織容器内に配置されたＲＦＩＤチップにプログラミングすることを含み、
読み取る前記ステップは、病理検査室において、前記ＲＦＩＤチップに含まれる前記第１及び第２の追跡データを電子的に読み取り、読み取られた前記第１及び第２の追跡データが同じ前記少なくとも１つの組織試料と関連付けられていることを確認することを含む、請求項１に記載の方法。